【事件の表示】
　特願２００５−１８８９０７「光走査装置および画像形成装置」拒絶査定不服審判事件〔平成１９年　１月１８日出願公開、特開２００７−　１０７９７〕について、次のとおり審決する。
【結　論】
　本件審判の請求は、成り立たない。
【理　由】
１　手続の経緯・本願発明
　本願は、平成１７年６月２８日の出願であって、平成２２年１０月１８日付けで手続補正がなされたところ、平成２３年２月１８日付けで拒絶査定がなされ、これに対し、同年５月３１日に拒絶査定不服審判請求がなされると同時に手続補正がなされ、その後、当審において平成２４年３月１３日付けで拒絶理由が通知され、同年５月７日付けで手続補正がなされたものである。
　
　そして、本願の請求項に係る発明は、平成２４年５月７日付け手続補正による補正後の明細書、特許請求の範囲及び図面の記載からみて、その特許請求の範囲の請求項１〜６に記載された事項によって特定されるものと認められるところ、請求項１に係る発明は次のとおりである。
　
「４つの光源装置を持ち、前記４つの光源装置各々からの光ビームは共通の光偏向器の偏向反射面の法線に対し副走査方向に角度を持って入射し、前記光偏向器により偏向された後に走査光学系により各々異なる被走査面に集光される光走査装置において、
　前記４つの光源装置各々からの光ビームのうち、一部の光ビームは前記偏向反射面の法線に対して副走査方向の一方側から入射し、他の光ビームは前記偏向反射面の法線に対して副走査方向の他方側から入射し、
　前記４つの光源装置各々からの光ビームは、前記光偏向器の同一の前記偏向反射面で偏向されて、前記４つの光源装置各々に対応する被走査面に向かい、
　前記偏向反射面から前記被走査面各々までの光路上には、前記偏向反射面で反射された前記光ビームを副走査方向に反射させる反射ミラーが配置され、
　前記反射ミラーは、前記偏向反射面の法線に対して副走査方向の一方側から入射して反射された光ビームの前記光路上には偶数枚が配置され、前記偏向反射面の法線に対して副走査方向の他方側から入射して反射された光ビームの前記光路上には奇数枚が配置され、
　前記光偏向器より最も離れた前記被走査面に向かう光ビームの光路に配置されている副走査方向への前記反射ミラーの枚数は、１枚であり、
　前記光偏向器より最も離れた前記被走査面と、前記１枚の反射ミラーとは、前記偏向反射面の法線を挟んで配置されていることを特徴とする光走査装置。」（以下「本願発明」という。）
　
　
２　引用刊行物の記載事項
（１）引用刊行物１
　当審における拒絶の理由に引用された、本願の出願前に頒布された刊行物である特開２００３−７５７５２号公報（以下「引用刊行物１」という。）には、図とともに下記の事項が記載されている。
　
　ア　「【０００１】
【発明の属する技術分野】本発明はタンデム走査光学系に関するものであり、例えばカラーレーザープリンタ，カラーデジタル複写機等の画像形成装置において、複数のレーザー光束を走査しながら複数の被走査面上に画像を露光記録するタンデム用の温度補償可能な走査光学系に関するものである。」
　
　イ　「【０００９】
【発明の実施の形態】以下、本発明を実施した温度補償可能なタンデム走査光学系を、図面を参照しつつ説明する。図１はタンデム走査光学系の一実施の形態を模式的に示す副走査断面図であり、これをスルー系（光路の折り返しが無い状態）で示したものが図２の主走査断面図と図３の副走査断面図である。また図４は、このタンデム走査光学系の全体構成を主走査断面で示す模式図である。
【００１０】図１〜図４中、1はポリゴンミラー、Ｓはポリゴン面(つまりミラー面から成る偏向反射面)、Ｗはポリゴンウィンドウ、２Ｙ，２Ｍ，２Ｃは光路分離用ミラー、３Ｙ，３Ｍ，３Ｃ，３Ｂは折り返しミラー、４（４Ｙ，４Ｍ，４Ｃ，４Ｂ）は光源、５（５Ｙ，５Ｍ，５Ｃ，５Ｂ）はコリメータレンズ、６はシリンダレンズ、７Ｙ，７Ｍ，７Ｃは光路合成用ミラー、８は折り返しミラー、１１は第１レンズ、１２は第２レンズ、２１Ｙ，２１Ｍ，２１Ｃ，２１Ｂは第３レンズ、ＩＹ，ＩＭ，ＩＣ，ＩＢは被走査面を構成する感光体(Ｙ：イエロー，Ｍ：マゼンタ，Ｃ：シアン，Ｂ：ブラックの各色用の感光体)、ＬＹ，ＬＭ，ＬＣ，ＬＢはレーザー光束であり、ＡＸは第１，第２レンズ（１１，１２）から成る第１光学系の光軸（仮想）である。
【００１１】図２及び図３では、図１中のミラー（２Ｙ，２Ｍ，２Ｃ；３Ｙ，３Ｍ，３Ｃ，３Ｂ）を図示省略しており、図１及び図３では、図２及び図４中のポリゴンミラー（１）より前の光学構成を図示省略している。また図２では、図４中のシリンダレンズ（６）より前の光学構成については、１つの光源（４）とコリメータレンズ（５）のみを代表して図示しており、図４では、図１中の第２レンズ（１２）より後の光学構成を図示省略している。また、図３では４本のレーザー光束（ＬＹ，ＬＭ，ＬＣ，ＬＢ）のうちの２本（ＬＹ，ＬＭ）のみを示しており、他の２本（ＬＣ，ＬＢ）は図示省略している。このタンデム走査光学系では、副走査方向の斜入射角度を±の振り分けとしているため（後述する表６参照。）、残りの２本のレーザー光束（ＬＣ，ＬＢ）は光軸（ＡＸ）に対して鏡像の関係になっている。
【００１２】なお、図２，図３中のＸ，Ｙ，Ｚは互いに直交する方向を示しており、ポリゴンミラー（１）の回転軸に対して平行な方向をＺ方向とし、感光体（ＩＹ，ＩＭ，ＩＣ，ＩＢ）上での主走査方向をＹ方向とし、光軸（ＡＸ）に対して平行な方向をＸ方向としている。また、主走査方向はレーザー光束（ＬＹ，ＬＭ，ＬＣ，ＬＢ）が各感光体（ＩＹ，ＩＭ，ＩＣ，ＩＢ）を走査する方向であり、副走査方向は主走査方向に対して垂直な方向である。
【００１３】この実施の形態のタンデム走査光学系は、図４に示すように、レーザー光束（ＬＹ，ＬＭ，ＬＣ，ＬＢ）を１本ずつ射出する４つの光源（４Ｙ，４Ｍ，４Ｃ，４Ｂ）と、コリメータレンズ（５Ｙ，５Ｍ，５Ｃ，５Ｂ），シリンダレンズ（６）等から成る光源光学系と、各光源（４Ｙ，４Ｍ，４Ｃ，４Ｂ）から発せられた計４本のレーザー光束（ＬＹ，ＬＭ，ＬＣ，ＬＢ）を偏向させる単一のポリゴンミラー（１）と、を備えている。各光源（４Ｙ，４Ｍ，４Ｃ，４Ｂ）から発せられたレーザー光束（ＬＹ，ＬＭ，ＬＣ，ＬＢ）は、コリメータレンズ（５Ｙ，５Ｍ，５Ｃ，５Ｂ）でそれぞれ略平行光に変換された後、光路合成用ミラー（７Ｙ，７Ｍ，７Ｃ）での反射又は透過により主走査方向に光路合成される。そして、共通の折り返しミラー（８）での反射により光路が折り返され、シリンダレンズ（６）で副走査方向に集光作用を受けた後、ポリゴンミラー（１）へと導光される。ここでレーザー光束（ＬＹ，ＬＭ，ＬＣ，ＬＢ）は、コリメータレンズ（５Ｙ，５Ｍ，５Ｃ，５Ｂ）とシリンダレンズ（６）によってビーム整形される。ビーム整形の結果、各レーザー光束（ＬＹ，ＬＭ，ＬＣ，ＬＢ）は、主走査方向については略平行光となり、副走査方向についてはポリゴンミラー（１）のポリゴン面（Ｓ）近傍で集光することになる。
【００１４】ビーム整形及び光路合成された４本のレーザー光束（ＬＹ，ＬＭ，ＬＣ，ＬＢ）は、ポリゴンミラー（１）において同一位置にある１つのポリゴン面（Ｓ）で同時に偏向反射される。このときポリゴン面（Ｓ）には、４本のレーザー光束（ＬＹ，ＬＭ，ＬＣ，ＬＢ）が副走査方向に互いに異なる角度で入射して、互いに異なる角度で偏向反射される。シリンダレンズ（６）への入射高さ（副走査方向）は、このポリゴンミラー（１）への斜入射角（副走査方向）に対応した高さに設定されている。シリンダレンズ（６）は全光源（４Ｙ，４Ｍ，４Ｃ，４Ｂ）に対して共通であるため、光源（４Ｙ，４Ｍ，４Ｃ，４Ｂ）間で主走査方向にフォーカス調整量のバラツキがある場合、それは副走査方向のフォーカスバラツキとして残ることになる。しかし、光源光学系を含む全系の主走査倍率を副走査倍率よりも小さくすることにより、このバラツキを小さく抑えることが可能である。
【００１５】ポリゴンミラー（１）で偏向反射された４本のレーザー光束（ＬＹ，ＬＭ，ＬＣ，ＬＢ）は、ポリゴンウィンドウ（Ｗ；図２，図３）を通過した後、第１，第２光学系等から成る走査系に入射する。第１光学系は第１レンズ（１１）と第２レンズ（１２）とから成っており、同一のポリゴン面（Ｓ）で偏向した４本のレーザー光束（ＬＹ，ＬＭ，ＬＣ，ＬＢ）に対して共通に配置されている。一方、第２光学系は第３レンズ（２１Ｙ，２１Ｍ，２１Ｃ，２１Ｂ）のみから成っており、第１光学系（１１，１２）を通過した計４本のレーザー光束（ＬＹ，ＬＭ，ＬＣ，ＬＢ）に対応するように光源（４Ｙ，４Ｍ，４Ｃ，４Ｂ）毎に配置されている。このタンデム走査光学系では、１つの光源（４Ｙ，４Ｍ，４Ｃ，４Ｂ）から１本のレーザー光束（ＬＹ，ＬＭ，ＬＣ，ＬＢ）が射出するので、レーザー光束（ＬＹ，ＬＭ，ＬＣ，ＬＢ）毎に第２光学系（２１Ｙ，２１Ｍ，２１Ｃ，２１Ｂ）が配置されることになる。
【００１６】第１光学系（１１，１２）を通過した４光束（ＬＹ，ＬＭ，ＬＣ，ＬＢ）は、図１に示すように光路分離される。つまり、レーザー光束（ＬＢ）は折り返しミラー（３Ｂ）で反射された後、第３レンズ（２１Ｂ）を通って感光体（ＩＢ）上で結像し、レーザー光束（ＬＣ）は光路分離用ミラー（２Ｃ），折り返しミラー（３Ｃ）の順で反射された後、第３レンズ（２１Ｃ）を通って感光体（ＩＣ）上で結像し、レーザー光束（ＬＭ）は光路分離用ミラー（２Ｍ），折り返しミラー（３Ｍ）の順で反射された後、第３レンズ（２１Ｍ）を通って感光体（ＩＭ）上で結像し、レーザー光束（ＬＹ）は光路分離用ミラー（２Ｙ），折り返しミラー（３Ｙ）の順で反射された後、第３レンズ（２１Ｙ）を通って感光体（ＩＹ）上で結像する。」
　
　ウ　上記イの【００１０】及び【００１６】に照らして図１をみると、「ポリゴンミラー（１）」より最も離れた「感光体（ＩＢ）」と、「折り返しミラー（３Ｂ）」とは、光軸（ＡＸ）を挟んで配置されていることがみてとれる。
　
　よって、これらの記載を総合すると、引用刊行物１には、次の発明（以下「引用発明１」という。）が記載されていると認められる。
　
「レーザー光束（ＬＹ，ＬＭ，ＬＣ，ＬＢ）を１本ずつ射出する４つの光源（４Ｙ，４Ｍ，４Ｃ，４Ｂ）と、コリメータレンズ（５Ｙ，５Ｍ，５Ｃ，５Ｂ），シリンダレンズ（６）等から成る光源光学系と、各光源（４Ｙ，４Ｍ，４Ｃ，４Ｂ）から発せられた計４本のレーザー光束（ＬＹ，ＬＭ，ＬＣ，ＬＢ）を偏向させる単一のポリゴンミラー（１）と、を備え、各光源（４Ｙ，４Ｍ，４Ｃ，４Ｂ）から発せられたレーザー光束（ＬＹ，ＬＭ，ＬＣ，ＬＢ）は、コリメータレンズ（５Ｙ，５Ｍ，５Ｃ，５Ｂ）でそれぞれ略平行光に変換された後、光路合成用ミラー（７Ｙ，７Ｍ，７Ｃ）での反射又は透過により主走査方向に光路合成され、共通の折り返しミラー（８）での反射により光路が折り返され、シリンダレンズ（６）で副走査方向に集光作用を受けた後、ポリゴンミラー（１）へと導光され、ビーム整形及び光路合成された４本のレーザー光束（ＬＹ，ＬＭ，ＬＣ，ＬＢ）は、ポリゴンミラー（１）において同一位置にある１つのポリゴン面（Ｓ）で同時に偏向反射され、このときポリゴン面（Ｓ）には、４本のレーザー光束（ＬＹ，ＬＭ，ＬＣ，ＬＢ）が副走査方向に互いに異なる角度で入射して、互いに異なる角度で偏向反射され、４本のレーザー光束（ＬＹ，ＬＭ，ＬＣ，ＬＢ）のうちの２本（ＬＹ，ＬＭ）は、副走査方向の斜入射角度を±の振り分けとしているため、残りの２本のレーザー光束（ＬＣ，ＬＢ）は、第１，第２レンズ（１１，１２）から成る第１光学系の光軸（ＡＸ）に対して鏡像の関係になっており、
　ポリゴンミラー（１）で偏向反射された４本のレーザー光束（ＬＹ，ＬＭ，ＬＣ，ＬＢ）は、ポリゴンウィンドウを通過した後、第１，第２光学系等から成る走査系に入射し、第１光学系は第１レンズ（１１）と第２レンズ（１２）とから成っており、同一のポリゴン面（Ｓ）で偏向した４本のレーザー光束（ＬＹ，ＬＭ，ＬＣ，ＬＢ）に対して共通に配置されており、一方、第２光学系は第３レンズ（２１Ｙ，２１Ｍ，２１Ｃ，２１Ｂ）のみから成っており、第１光学系（１１，１２）を通過した計４本のレーザー光束（ＬＹ，ＬＭ，ＬＣ，ＬＢ）に対応するように光源（４Ｙ，４Ｍ，４Ｃ，４Ｂ）毎に配置されており、第１光学系（１１，１２）を通過した４光束（ＬＹ，ＬＭ，ＬＣ，ＬＢ）のうち、レーザー光束（ＬＢ）は折り返しミラー（３Ｂ）で反射された後、第３レンズ（２１Ｂ）を通って感光体（ＩＢ）上で結像し、レーザー光束（ＬＣ）は光路分離用ミラー（２Ｃ），折り返しミラー（３Ｃ）の順で反射された後、第３レンズ（２１Ｃ）を通って感光体（ＩＣ）上で結像し、レーザー光束（ＬＭ）は光路分離用ミラー（２Ｍ），折り返しミラー（３Ｍ）の順で反射された後、第３レンズ（２１Ｍ）を通って感光体（ＩＭ）上で結像し、レーザー光束（ＬＹ）は光路分離用ミラー（２Ｙ），折り返しミラー（３Ｙ）の順で反射された後、第３レンズ（２１Ｙ）を通って感光体（ＩＹ）上で結像し、
　ポリゴンミラー（１）より最も離れた感光体（ＩＢ）と、折り返しミラー（３Ｂ）とは、光軸（ＡＸ）を挟んで配置されている、タンデム走査光学系。」
　
（２）引用刊行物２
　当審における拒絶の理由に引用された、本願の出願前に頒布された刊行物である特開平１０−２０２２４号公報（以下「引用刊行物２」という。）には、図とともに下記の事項が記載されている。
　
　ア　「【特許請求の範囲】
【請求項１】　複数の光源から出射した複数の光ビームを副走査断面内で光偏向器の偏向面に対し該偏向面の法線を挟んで斜め方向から同一の偏向点に各々入射させ、該光偏向器で偏向反射させた該複数の光ビームを結像手段により該複数の光ビームに対応して各々設けた反射ミラーを介して被走査面上の異なる位置に集光させ、該被走査面上を該複数の光ビームで同時に光走査するマルチビーム走査光学装置であって、
該複数の光ビームに対応して各々設けた該反射ミラーの枚数差が奇数枚となるように構成したことを特徴とするマルチビーム走査光学装置。
…」
　
　イ　「【０００１】
【発明の属する技術分野】本発明はマルチビーム走査光学装置に関し、特に複数の光ビームを用いて被走査面としての感光ドラム面の異なる位置を同時に光走査するようにした、例えばマルチカラー複写機やマルチカラーレーザプリンター等の画像形成装置に好適なマルチビーム走査光学装置に関するものである。」
　
　ウ　「【００１０】本発明は複数の光源から出射した複数の光ビームを副走査断面内で光偏向器の偏向面に対し該偏向面の法線を挟んで斜め方向から同一の偏向点に入射させ、該偏向面で偏向反射された複数の光ビームを用いてマルチビーム走査を行なう際、該複数の光ビームに対応して光路上に配置した結像手段以降の反射ミラーの枚数差が奇数枚となるように構成することにより、被走査面上での該複数の光ビームの走査線の湾曲方向を揃えることができ、これにより色ズレや混色等のない良質なる複写画像を得ることができるマルチビーム走査光学装置の提供を目的とする。」
　
　エ　「【００１３】
【発明の実施の形態】図１は本発明の実施形態１の光偏向器以降の副走査方向の要部断面図（副走査断面図）である。図２は本発明の実施形態１の入射光学系を示す副走査方向の要部断面図（副走査断面図）である。
【００１４】図２において２１ａ，２１ｂは各々光源であり、例えば半導体レーザより成っており、該２つの光源２１ａ，２１ｂは被走査面に対して垂直方向、即ち副走査方向に並置している。２２ａ，２２ｂは各々コリメーターレンズであり、２つの光源２１ａ，２１ｂに対応して設けており、該２つの光源２１ａ，２１ｂから出射した光ビーム（光束）を平行光束に変換している。２３ａ，２３ｂは各々絞りであり、２つの光源２１ａ，２１ｂに対応して設けており、通過光束径を整えている。２４ａ，２４ｂは各々シリンドリカルレンズであり、２つの光源２１ａ，２１ｂに対応して設けており、副走査方向にのみ所定の屈折力を有している。…
【００１５】図１において１は光偏向器であり、例えばポリゴンミラーより成っており、駆動手段としてのモータ（不図示）により矢印Ａ方向に所定の速度で回転している。２は結像手段としてのｆθレンズであり、単一のシリンドリカルレンズ２ａと２段トーリックレンズ２ｂとの２枚系より成っている。２段トーリックレンズ２ｂは図１に示すように副走査方向に上下２つのトーリックレンズ２ｂ１，２ｂ２とに別れており、複数の光ビームが各々対応するトーリックレンズ２ｂ１，２ｂ２に入射している。
【００１６】３，４は各々折り返しミラー（反射ミラー）であり、図中ｆθレンズ２の光軸１０の下側から光偏向器１の偏向面１ａに対して斜入射した光ビーム（以下「光ビームＵ」と称す。）を被走査面としての感光ドラム７面上の露光位置７ａに導いている。５，６，１１は各々折り返しミラー（反射ミラー）であり、図中ｆθレンズ２の光軸１０の上側から光偏向器１の偏向面１ａに対して斜入射した光ビーム（以下「光ビームＯ」と称す。）を感光ドラム７面上の露光位置７ｂに導いている。本実施形態ではこの２つの光ビームＵ，Ｏに対応して設けたｆθレンズ２以降の折り返しミラーの枚数差が奇数枚となるように構成することによって、該２つの光ビームの感光ドラム７面上における走査線の湾曲方向を揃えている。」
　
　よって、これらの記載を総合すると、引用刊行物２には、次の発明（以下「引用発明２」という。）が記載されていると認められる。
　
「複数の光源から出射した複数の光ビームを副走査断面内で光偏向器の偏向面に対し該偏向面の法線を挟んで斜め方向から同一の偏向点に各々入射させ、該光偏向器で偏向反射させた該複数の光ビームを結像手段により該複数の光ビームに対応して各々設けた反射ミラーを介して被走査面上の異なる位置に集光させ、該被走査面上を該複数の光ビームで同時に光走査するマルチビーム走査光学装置であって、
　ｆθレンズ２の光軸１０の下側から光偏向器１の偏向面１ａに対して斜入射した光ビーム（光ビームＵ）、及び、ｆθレンズ２の光軸１０の上側から光偏向器１の偏向面１ａに対して斜入射した光ビーム（光ビームＯ）に対応して設けたｆθレンズ２以降の折り返しミラーの枚数差が、奇数枚となるように構成することにより、被走査面上での該複数の光ビームの走査線の湾曲方向を揃えることができるマルチビーム走査光学装置。」
　
　
３　対比
　本願発明と引用発明１を対比する。
（１）引用発明１の「タンデム走査光学系」は、「（４つの）各光源（４Ｙ，４Ｍ，４Ｃ，４Ｂ）から発せられた『レーザー光束（ＬＹ，ＬＭ，ＬＣ，ＬＢ）』」が、「『ポリゴンミラー（１）』へと導光され」、「ポリゴンミラー（１）において同一位置にある１つのポリゴン面（Ｓ）で同時に偏向反射され、このときポリゴン面（Ｓ）には、４本のレーザー光束（ＬＹ，ＬＭ，ＬＣ，ＬＢ）が副走査方向に互いに異なる角度で入射して、互いに異なる角度で偏向反射され、４本のレーザー光束（ＬＹ，ＬＭ，ＬＣ，ＬＢ）のうちの２本（ＬＹ，ＬＭ）は、副走査方向の斜入射角度を±の振り分けとしているため、残りの２本のレーザー光束（ＬＣ，ＬＢ）は、第１，第２レンズ（１１，１２）から成る第１光学系の光軸（ＡＸ）に対して鏡像の関係になっており」、「ポリゴンミラー（１）で偏向反射された『４本のレーザー光束（ＬＹ，ＬＭ，ＬＣ，ＬＢ）』」は、「『第１光学系（１１，１２）』を通過し」、「レーザー光束（ＬＢ）は折り返しミラー（３Ｂ）で反射された後、第３レンズ（２１Ｂ）を通って感光体（ＩＢ）上で結像し」、「レーザー光束（ＬＣ）は光路分離用ミラー（２Ｃ），折り返しミラー（３Ｃ）の順で反射された後、第３レンズ（２１Ｃ）を通って感光体（ＩＣ）上で結像し」、「レーザー光束（ＬＭ）は光路分離用ミラー（２Ｍ），折り返しミラー（３Ｍ）の順で反射された後、第３レンズ（２１Ｍ）を通って感光体（ＩＭ）上で結像し」、「レーザー光束（ＬＹ）は光路分離用ミラー（２Ｙ），折り返しミラー（３Ｙ）の順で反射された後、第３レンズ（２１Ｙ）を通って感光体（ＩＹ）上で結像」するものであって、「第１，第２レンズ（１１，１２）から成る第１光学系の光軸（ＡＸ）」は、「（ポリゴンミラー（１）の）ポリゴン面（Ｓ）」の法線であるといえるから、
　ア　引用発明１の「４つの光源（４Ｙ，４Ｍ，４Ｃ，４Ｂ）」、「（各光源（４Ｙ，４Ｍ，４Ｃ，４Ｂ）から発せられた）レーザー光束（ＬＹ，ＬＭ，ＬＣ，ＬＢ）」、「ポリゴンミラー（１）」、「（ポリゴンミラー（１）の）ポリゴン面（Ｓ）」、「（ポリゴンミラー（１）の）ポリゴン面（Ｓ）の法線」、「第１，第２レンズ（１１，１２）から成る第１光学系」、「『感光体（ＩＢ）』、『感光体（ＩＣ）』、『感光体（ＩＭ）』及び『感光体（ＩＹ）』」及び「『折り返しミラー（３Ｂ）』、『光路分離用ミラー（２Ｃ），折り返しミラー（３Ｃ）』、『光路分離用ミラー（２Ｍ），折り返しミラー（３Ｍ）』及び『光路分離用ミラー（２Ｙ），折り返しミラー（３Ｙ）』」は、それぞれ、本願発明の「４つの光源装置」、「（前記４つの光源装置各々からの）光ビーム」、「（共通の）光偏向器」、「（光偏向器の）偏向反射面」、「（光偏向器の）偏向反射面の法線」、「走査光学系」、「（各々異なる）被走査面」及び「（偏向反射面から被走査面各々までの光路上に配置され、前記偏向反射面で反射された光ビームを副走査方向に反射させる）反射ミラー」に相当し、
　イ　引用発明１は、本願発明の「４つの光源装置を持ち、前記４つの光源装置各々からの光ビームは共通の光偏向器の偏向反射面の法線に対し副走査方向に角度を持って入射し、前記光偏向器により偏向された後に走査光学系により各々異なる被走査面に集光され」との事項、「前記４つの光源装置各々からの光ビームのうち、一部の光ビームは前記偏向反射面の法線に対して副走査方向の一方側から入射し、他の光ビームは前記偏向反射面の法線に対して副走査方向の他方側から入射し、前記４つの光源装置各々からの光ビームは、前記光偏向器の同一の前記偏向反射面で偏向されて、前記４つの光源装置各々に対応する被走査面に向かい」との事項、「前記偏向反射面から前記被走査面各々までの光路上には、前記偏向反射面で反射された前記光ビームを副走査方向に反射させる反射ミラーが配置され」との事項、及び、「前記光偏向器より最も離れた前記被走査面に向かう光ビームの光路に配置されている副走査方向への前記反射ミラーの枚数は、１枚であり」との事項を備える。
　
（２）引用発明１は、「ポリゴンミラー（１）より最も離れた感光体（ＩＢ）と、折り返しミラー（３Ｂ）とは、光軸（ＡＸ）を挟んで配置されている」ものであるから、引用発明１は、本願発明の「前記光偏向器より最も離れた前記被走査面と、前記１枚の反射ミラーとは、前記偏向反射面の法線を挟んで配置されている」との事項を備える。
　
（３）引用発明１の「タンデム走査光学系」は、本願発明の「光走査装置」に相当する。
　
　よって、本願発明と引用発明１とは、
「４つの光源装置を持ち、前記４つの光源装置各々からの光ビームは共通の光偏向器の偏向反射面の法線に対し副走査方向に角度を持って入射し、前記光偏向器により偏向された後に走査光学系により各々異なる被走査面に集光される光走査装置において、
　前記４つの光源装置各々からの光ビームのうち、一部の光ビームは前記偏向反射面の法線に対して副走査方向の一方側から入射し、他の光ビームは前記偏向反射面の法線に対して副走査方向の他方側から入射し、
　前記４つの光源装置各々からの光ビームは、前記光偏向器の同一の前記偏向反射面で偏向されて、前記４つの光源装置各々に対応する被走査面に向かい、
　前記偏向反射面から前記被走査面各々までの光路上には、前記偏向反射面で反射された前記光ビームを副走査方向に反射させる反射ミラーが配置され、
　前記光偏向器より最も離れた前記被走査面に向かう光ビームの光路に配置されている副走査方向への前記反射ミラーの枚数は、１枚であり、
　前記光偏向器より最も離れた前記被走査面と、前記１枚の反射ミラーとは、前記偏向反射面の法線を挟んで配置されている光走査装置。」
の点で一致し、以下の点で相違するものと認められる。  
 　  
　反射ミラーが、本願発明では、偏向反射面の法線に対して副走査方向の一方側から入射して反射された光ビームの光路上には偶数枚が配置され、前記偏向反射面の法線に対して副走査方向の他方側から入射して反射された光ビームの光路上には奇数枚が配置されるのに対し、引用発明１では、４本のレーザー光束（ＬＹ，ＬＭ，ＬＣ，ＬＢ）のうち、２本のレーザー光束（ＬＹ，ＬＭ）については、それぞれ２枚（「光路分離用ミラー（２Ｙ），折り返しミラー（３Ｙ）」，「光路分離用ミラー（２Ｍ），折り返しミラー（３Ｍ）」）配置され、前記２本のレーザー光束（ＬＹ，ＬＭ）と第１光学系の光軸（ＡＸ）に対して鏡像の関係になっている残りの２本のレーザー光束（ＬＣ，ＬＢ）のうち、レーザー光束（ＬＣ）については２枚（光路分離用ミラー（２Ｃ），折り返しミラー（３Ｃ））、レーザー光束（ＬＢ）については１枚（折り返しミラー（３Ｂ））配置されている点（以下「相違点」という。）。
　
　
４　判断
　上記相違点につき検討する。
　上記２（２）によれば、引用刊行物２には、「複数の光源から出射した複数の光ビームを副走査断面内で光偏向器の偏向面に対し該偏向面の法線を挟んで斜め方向から同一の偏向点に各々入射させ、該光偏向器で偏向反射させた該複数の光ビームを結像手段により該複数の光ビームに対応して各々設けた反射ミラーを介して被走査面上の異なる位置に集光させ、該被走査面上を該複数の光ビームで同時に光走査するマルチビーム走査光学装置」において、「被走査面上での該複数の光ビームの走査線の湾曲方向を揃える」ために、「ｆθレンズ２の光軸１０の下側から光偏向器１の偏向面１ａに対して斜入射した光ビーム（光ビームＵ）、及び、ｆθレンズ２の光軸１０の上側から光偏向器１の偏向面１ａに対して斜入射した光ビーム（光ビームＯ）に対応して設けたｆθレンズ２以降の折り返しミラーの枚数差が、奇数枚となるように構成する」発明（引用発明２）が記載されているところ、引用発明１の「タンデム走査光学系」も、引用発明２の「マルチビーム走査光学装置」と同様、複数の光源（４つの光源（４Ｙ，４Ｍ，４Ｃ，４Ｂ））から出射した複数の光ビーム（４本のレーザー光束（ＬＹ，ＬＭ，ＬＣ，ＬＢ））を副走査断面内で光偏向器（ポリゴンミラー（１））の偏向面（ポリゴン面（Ｓ））に対し該偏向面（ポリゴン面（Ｓ））の法線を挟んで斜め方向から同一の偏向点に各々入射させ、該光偏向器（ポリゴンミラー（１））で偏向反射させた該複数の光ビーム（４本のレーザー光束（ＬＹ，ＬＭ，ＬＣ，ＬＢ））を該複数の光ビーム（４本のレーザー光束（ＬＹ，ＬＭ，ＬＣ，ＬＢ））に対応して各々設けた反射ミラー（折り返しミラー（３Ｂ）、光路分離用ミラー（２Ｃ），折り返しミラー（３Ｃ）、光路分離用ミラー（２Ｍ），折り返しミラー（３Ｍ）、光路分離用ミラー（２Ｙ），折り返しミラー（３Ｙ））を介して被走査面（各感光体（ＩＹ，ＩＭ，ＩＣ，ＩＢ））上の異なる位置に集光させるものであって、被走査面（各感光体（ＩＹ，ＩＭ，ＩＣ，ＩＢ））上における複数の光ビーム（４本のレーザー光束（ＬＹ，ＬＭ，ＬＣ，ＬＢ））の走査線の湾曲方向を揃えるべきものであることは当業者において明らかである。しかるところ、引用発明１の「タンデム走査光学系」において、各被走査面（「感光体（ＩＢ）」、「感光体（ＩＣ）」、「感光体（ＩＭ）」及び「感光体（ＩＹ）」）上における４本のレーザー光束（ＬＹ，ＬＭ，ＬＣ，ＬＢ）の走査線の湾曲方向を揃えるために、「ポリゴンミラー（１）」による偏向反射後、４本のレーザー光束（ＬＹ，ＬＭ，ＬＣ，ＬＢ）を各感光体（ＩＹ，ＩＭ，ＩＣ，ＩＢ）に導くミラーの枚数を、２本のレーザー光束（ＬＹ，ＬＭ）については、それぞれ２枚（「光路分離用ミラー（２Ｙ），折り返しミラー（３Ｙ）」，「光路分離用ミラー（２Ｍ），折り返しミラー（３Ｍ）」）のままとし、残りの２本のレーザー光束（ＬＣ，ＬＢ）のうち、レーザー光束（ＬＢ）については１枚（折り返しミラー（３Ｂ））のままとし、レーザー光束（ＬＣ）については３枚あるいは１枚となして、上記相違点に係る本願発明の構成となすことは、当業者が容易になし得ることである。
　
　また、本願発明の奏する効果が、引用発明１及び２から当業者が予測困難な程の格別顕著なものということはできない。
　
　したがって、本願発明は、引用刊行物１及び２に記載された発明に基いて当業者が容易に発明をすることができたものである。
　
　
５　むすび
　以上のとおり、本願発明は、引用刊行物１及び２に記載された発明に基いて当業者が容易に発明をすることができたものであるから、特許法第２９条第２項の規定により特許を受けることができない。
　
　よって、結論のとおり審決する。